(57)【特許請求の範囲】
【請求項１】
通常撮影モードと、
レンズ位置を近接撮影可能な位置に移動して固定させ、且つ絞り値を前記通常撮影モードよりも小絞り設定として被写界深度を深くすることにより近接撮影を可能とする近接撮影モードとを有するカメラにおいて、
被写体距離に対応する測距データを得る測距手段と、
前記測距手段から出力される測距データを距離データに変換する距離演算手段と、
ユーザーに対して警告を表示する警告表示手段と、
前記近接撮影モードにおいて、前記距離演算手段により算出される距離データと被写界深度情報とを比較する被写界深度判定手段と、
前記通常撮影モードにおいて、前記距離演算手段により算出される距離データと撮影可能範囲とを比較する撮影可能範囲判定手段と、
前記被写界深度判定手段が、前記測距データが被写界深度外と判定した場合、または、前記撮影可能範囲判定手段が、前記測距データが撮影可能範囲外であると判定した場合には、前記警告表示手段に第１の警告表示を行い、撮影動作を禁止し、前記測距手段が測距失敗した場合には、前記警告表示手段に第２の警告表示を行い、撮影動作を許可する制御手段と、
を備えたことを特徴とするカメラ。
【請求項２】
前記カメラは、レリーズボタンの操作量に応じて１段目の第１レリーズ操作と２段目の第２レリーズ操作との２段操作可能なレリーズ手段と、
前記レリーズ手段の第１レリーズ操作により、前記測距手段による測距動作を行わせ、前記第２レリーズ操作により、撮影動作に入るとともに、前記第１レリーズ操作の状態で、前記被写界深度判定手段が距離データと被写界深度情報とを比較し、被写界深度外と判定した場合に、前記第１の警告表示を行うこと
を特徴とする請求項１に記載のカメラ。
【請求項３】
前記警告表示手段は、発光表示部の点滅表示により前記警告表示を行うこと
を特徴とする請求項１または２に記載のカメラ。
【請求項４】
前記第１の警告表示と前記第２の警告表示は、発光表示部の点滅表示の周期が異なること
を特徴とする請求項３に記載のカメラ。
【請求項５】
前記カメラは、前記近接撮影モードにおいて、ストロボを常時発光とすること
を特徴とする請求項１〜４のうちのいずれか１項に記載のカメラ。
【発明の詳細な説明】
【０００１】
【発明の属する技術分野】
本発明は、カメラに係り、特に通常撮影モードと、レンズ位置を近接撮影可能な位置に移動して固定させ、且つ絞り値を前記通常撮影モードよりも小絞り設定として被写界深度を深くすることにより近接撮影を可能とする近接撮影モードとを有するカメラに関する。
【０００２】
【従来の技術】
写真撮影には、銀塩フィルムを用いる在来のカメラ、いわゆる銀塩カメラ、が従来から広く使用されている。一方、近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、いわゆるＰＣカード等のＩＣ（集積回路）カードまたはビデオフロッピーディスク等にディジタル的に記録するタイプの電子カメラが急速に普及しつつある。
【０００３】
このような電子カメラおよび在来の銀塩カメラのいずれにおいても、被写体距離を計測する測距機能を搭載し、さらには該測距機能を用い撮影レンズの繰り出し量を自動制御して、所望の被写体に自動的に合焦させるオートフォーカス（以下、「ＡＦ」と称する）機能を搭載したものが多い。
また、カメラには、通常撮影の至近距離よりも近接して被写体をとらえ、被写体をクローズアップした写真を撮影するいわゆるマクロ撮影機能、すなわち近接撮影機能を備えたものもある。このような、近接撮影機能は、人物のみならず、草花、小動物、商品あるいは書類等のクローズアップにも用いられ、カメラに付加的な用途を与えるものとなっている。
【０００４】
一般に、近接撮影は、例えば特開平１０−３２５９７２号公報に示されるように、通常撮影よりもレンズの繰り出し量を大きくして、近接した被写体に対しても合焦するようにし、さらに、このような近接距離では、被写界深度が浅くなるため、絞りを絞り込むことにより可能とする。
ところが、このような近接撮影のための機構は、カメラの複雑化および大型化を招くため、いわゆるコンパクトカメラ等のように安価なカメラに搭載することは容易ではない。ところが、この種の安価な撮影レンズを用いるカメラほど、通常撮影の撮影可能範囲の最近点が遠く、特別な被写体でなく、通常の被写体であっても、より近接して被写体を撮影したいことが少なくない。
【０００５】
そこで、特開平５−３１３２２３号公報に示されるように、撮影レンズ位置を通常撮影における最近撮影距離状態にセットして、絞りを通常撮影よりも小絞りとして被写界深度を深くすることにより、近接撮影を可能にする機能を持たせたカメラがある。
【０００６】
【発明が解決しようとする課題】
通常、この種のカメラでは、選択設定操作可能な撮影モードの一つとして近接撮影モードが実現され、この近接撮影モードを選択した際に、レンズ位置を近接撮影可能な位置に移動して固定させて、絞り値を通常撮影モードよりも小絞りに設定して被写界深度を深くする。すなわち、この種の近接撮影機能を有するカメラにおいては、被写体が上記被写界深度内に存在する場合において、ピントの合った（合ったように見える）写真を得ることができる。しかし、被写体が上記被写界深度外の場合は、ピンぼけ写真となってしまう。
本発明は、上述した事情に鑑みてなされたもので、ＡＦ機能を利用して、被写体が、被写界深度内である場合にのみ撮影可能とし、被写界深度外の場合は、撮影動作を禁止することにより、常に適切に合焦した撮影を行うことを可能とする近接撮影機能を有するカメラを提供することを目的としている。
【０００７】
本発明の請求項１の目的は、特に、被写界深度外または撮影可能範囲外の被写体を合焦しないまま、そのことを知らずに撮影してしまったり、不適切な撮影モードのまま不用意に撮影するなどの誤操作を防止すると共に、測距に失敗しても撮影し得るようにすることにある。
本発明の請求項２の目的は、特に、レリーズボタンの、いわゆる半押し状態で撮影禁止状態を目視により把握し得るようにすることにある。
本発明の請求項３の目的は、特に、レリーズボタンの、いわゆる半押し状態で目視により撮影禁止状態を把握し得るようにすることにある。
【０００８】
本発明の請求項４の目的は、特に、測距に失敗していることを目視により予め認識することができるようにすることにある。
本発明の請求項５の目的は、特に、ストロボモードとの組合せ等の煩わしさをなくし無難な近接撮影を可能とすることにある。
【０００９】
【課題を解決するための手段】
請求項１に記載した本発明に係るカメラは、上述した目的を達成するために、
通常撮影モードと、
レンズ位置を近接撮影可能な位置に移動して固定させ、且つ絞り値を前記通常撮影モードよりも小絞り設定として被写界深度を深くすることにより近接撮影を可能とする近接撮影モードとを有するカメラにおいて、
被写体距離に対応する測距データを得る測距手段と、
前記測距手段から出力される測距データを距離データに変換する距離演算手段と、
ユーザーに対して警告を表示する警告表示手段と、
前記近接撮影モードにおいて、前記距離演算手段により算出される距離データと被写界深度情報とを比較する被写界深度判定手段と、
前記通常撮影モードにおいて、前記距離演算手段により算出される距離データと撮影可能範囲とを比較する撮影可能範囲判定手段と、
前記被写界深度判定手段が、前記測距データが被写界深度外と判定した場合、または、前記撮影可能範囲判定手段が、前記測距データが撮影可能範囲外であると判定した場合には、前記警告表示手段に第１の警告表示を行い、撮影動作を禁止し、前記測距手段が測距失敗した場合には、前記警告表示手段に第２の警告表示を行い、撮影動作を許可する制御手段と、
を備えたことを特徴としている。
【００１０】
また、請求項２に記載した本発明に係るカメラは、
前記カメラは、レリーズボタンの操作量に応じて１段目の第１レリーズ操作と２段目の第２レリーズ操作との２段操作可能なレリーズ手段と、
前記レリーズ手段の第１レリーズ操作により、前記測距手段による測距動作を行わせ、前記第２レリーズ操作により、撮影動作に入るとともに、前記第１レリーズ操作の状態で、前記被写界深度判定手段が距離データと被写界深度情報とを比較し、被写界深度外と判定した場合に、前記第１の警告表示を行うこと
を特徴としている。
【００１１】
請求項３に記載した本発明に係るカメラは、
前記警告表示手段は、発光表示部の点滅表示により前記警告表示を行うこと
を特徴としている。
【００１２】
請求項４に記載した本発明に係るカメラは、
前記第１の警告表示と前記第２の警告表示は、発光表示部の点滅表示の周期が異なること
を特徴としている。
【００１３】
請求項５に記載した本発明に係るカメラは、
前記近接撮影モードにおいて、ストロボを常時発光とすることを特徴としている。
【００１４】
【作用】
すなわち、本発明によるカメラは、モード設定操作により、選択設定し得る撮影モードとして、通常撮影モードと、レンズ位置を近接撮影可能な位置に移動して固定させ、且つ絞り値を前記通常撮影モードよりも小絞り設定として被写界深度を深くすることにより近接撮影を可能とする近接撮影モードとを含み、測距手段により得られる被写体の測距データを距離演算手段により距離データに変換し該距離データと被写界深度情報とを被写界深度判定手段が比較して、前記距離データが被写界深度外であれば、制御手段が撮影動作を禁止する。
このような構成により、ＡＦ機能を利用して、被写体が、被写界深度内である場合に撮影可能とし、被写界深度外の場合は、撮影動作を禁止することにより、常に適切に合焦した撮影を行うことが可能となり、特に、被写界深度外の被写体を合焦しないまま撮影してしまったり、不適切な撮影モードのまま不用意に撮影するなどの誤操作を防止することが可能となる。
【００１５】
また、本発明によるカメラは、レリーズ手段を、レリーズボタンの操作量に応じて１段目の第１レリーズ操作と２段目の第２レリーズ操作との２段操作可能とし、且つ前記レリーズ手段の第１レリーズ操作により、前記測距手段による測距動作を行わせ、前記第２レリーズ操作により、撮影動作に入るとともに、前記第１レリーズ操作の状態で、前記距離データが前記被写界深度外であると被写界深度判定手段が判定した場合は、所定の警告表示を行うべく制御手段により制御する。
このような構成により、特に、レリーズボタンの、いわゆる半押し状態で撮影禁止状態を把握し得るようにする。
【００１６】
本発明によるカメラは、前記制御手段が、発光表示部の点滅表示により前記警告表示を行う手段を含む。
このような構成により、特に、レリーズボタンの、いわゆる半押し状態で目視により撮影禁止状態を把握し得るようにする。
本発明によるカメラは、前記制御手段が、前記測距手段により正常な測距結果が得られない場合には、撮影を許可する手段を含む。
このような構成により、特に、測距できない被写体が被写界深度内に位置している場合にも撮影し得るようにする。
【００１７】
本発明によるカメラは、前記制御手段が、前記測距手段により正常な測距結果が得られない場合には、前記警告表示を行う警告表示手段を含む。
このような構成により、特に、測距に失敗していることを予め認識することができるようにする。
本発明によるカメラは、前記制御手段が、前記測距手段により正常な測距結果が得られない場合には、前記距離データが前記被写界深度外である場合とは異なる点滅周期で前記警告表示を行う手段を含む。
このような構成により、特に、測距に失敗していることを目視により予め認識することができるようにする。
【００１８】
本発明によるカメラは、前記制御手段が、通常撮影モードにおける最短撮影距離を、近接撮影モードにおける許容被写界深度の遠距離側とみなす手段を含むように構成してもよい。
このような構成にした場合には、特に、被写界深度内であっても、通常撮影可能な範囲内の場合には通常撮影で撮影することが望ましいため、そのような場合に撮影を禁止することができるようにする。
【００１９】
本発明によるカメラは、近接撮影可能なレンズ位置として、通常撮影モードにおける最短撮影距離と同等のレンズ位置を用いる手段を含む。
このような構成にした場合、特に、鏡胴の最大移動量を通常撮影時と同じとして、鏡胴設計を容易にし、コストダウンを達成することにある。
本発明によるカメラは、前記近接撮影モードにて、ストロボを常時発光とし、且つシャッタスピードを手ぶれによる影響が最小となるシャッタスピードに対応する固定秒時に設定する手段を含む。
このような構成により、特に、ストロボモードとの組合せ等の煩わしさをなくし無難な近接撮影を可能とする。
【００２０】
【発明の実施の形態】
以下、実施の形態に基づき、図面を参照して本発明のカメラを詳細に説明する。
図１は、本発明の一つの実施の形態に係るカメラの構成を示している。
図１に示すカメラは、時計機能および近接撮影機能が組み込まれている。図１のカメラは、カメラ制御部１、電源２、第１の発振器３、第２の発振器４、測光部５、ＡＦ測距部６、ストロボユニット７、ディスプレイ８、記憶部９、鏡胴駆動部１０、フィルム給送制御部１１、第１レリーズスイッチＳＷ１、第２レリーズスイッチＳＷ２、撮影モードスイッチＳＷ３、時計モードスイッチＳＷ４、時計セレクトスイッチＳＷ５および時計セットスイッチＳＷ６を具備している。
【００２１】
カメラ制御部１は、いわゆるＣＰＵ（中央処理装置）であり、距離演算手段、撮影動作を禁止する手段および制御手段を構成する。該カメラ制御部１は、第１レリーズスイッチＳＷ１、第２レリーズスイッチＳＷ２、撮影モードスイッチＳＷ３、時計モードスイッチＳＷ４、時計セレクトスイッチＳＷ５および時計セットスイッチＳＷ６等の各スイッチの動作に応答し、電源入力端ＶＣＣとグラウンドコモン端子ＧＣとの間に与えられる電源２の出力を用いて、カメラ機能部分を含むシステム全体を制御する。
【００２２】
電源２は、電池等からなる直流電源であり、出力電圧をカメラ制御部１に供給する。第１および第２の発振器３および４は、２系統クロックを発生する発振器であり、これら第１および第２の発振器３および４の動作は、カメラ制御部１により制御される。
第１の発振器３は、セラミック振動子Ｘ１、コンデンサＣ１およびＣ２を有するセラミック発振器である。該第１の発振器３は、システムの動作待機状態等においてカメラ制御部１により用いられるが、システムの休止状態では使用されず、カメラ制御部１の制御により停止される。
【００２３】
第２の発振器４は、水晶振動子Ｘ２、抵抗Ｒ、コンデンサＣ３およびＣ４を有する水晶発振器であり、システムの動作待機状態および休止状態の何れにおいても動作してカメラ制御部１に計時クロックを供給する。該第２の発振器４は、カレンダ／時計表示のための計時用の発振器であり、安定な発振周波数で発振する。
測光手段を構成する測光部５は、例えば自動露出制御（ＡＥ）のための測光用ＩＣ（集積回路）からなり、カメラ制御部１により制御されて撮影視野内の被写体等の光量を計測する。測距手段を構成するＡＦ測距部６は、例えばマルチエリアオートフォーカス等のオートフォーカス（ＡＦ）のための測距用ＩＣ（集積回路）からなり、オートフォーカス制御のため、カメラ制御部１により制御されて、撮影視野内における被写体距離を計測する。
【００２４】
この場合、ＡＦ測距部６は、複数の測距領域を測距する、いわゆるマルチエリア測距システムを用いている。マルチエリア測距動作では、複数領域、例えば７領域の測距を行い、最も近距離を測距した領域の測距情報を採用するなどする。ストロボユニット７は、被写体光量が不足するときまたは撮影視野の特定の被写体を照明したいときに、カメラ制御部１により制御されて発光する。カメラ制御部１は、近接撮影モードが選択されているときは、常に、ストロボユニット７が発光するように制御する。カメラ制御部１は、ストロボ使用の場合に、ストロボユニット７の充電状態を確認し、充電レベルが低い場合は充電する。
【００２５】
表示手段を構成するディスプレイ８は、例えば液晶表示素子（ＬＣＤ）等からなり、カメラ制御部１により制御されて当該カメラの各種状態を表示する。ディスプレイ８により表示される内容には、例えばカメラ制御部１内の計時部により得られるカレンダ／時計情報を表示するカレンダ／時計表示、撮影済みコマ数または未撮影残コマ数等のようなフィルムカウンタのカウント値を表示するフィルムカウンタ表示、設定されている撮影モードを示すシンボルマークを表示する撮影モードマーク表示、および電源２の電池残量が充分であるか否かをシンボルマークにより表示するバッテリーマーク表示などがある（図６〜図１０参照）。
【００２６】
記憶部９は、例えばＥＥＰＲＯＭ（電気的消去可能プログラマブルリードオンリメモリ）等からなる電子的に消去・書換え可能で且つ不揮発性のメモリであり、システム出荷前の調整値等を格納する。
第１レリーズスイッチＳＷ１および第２レリーズスイッチＳＷ２は、２段動作のレリーズボタン（図示せず）の押し込み深さに応じた第１段目および第２段目の２段階の操作により、重畳的に動作し、操作時のみオンとなる自己復帰型のスイッチである。すなわち、レリーズボタンを浅く押し込むと、第１レリーズスイッチＳＷ１がオンとなり、さらにレリーズボタンを深く押し込むと第１レリーズスイッチＳＷ１がオンのまま第２レリーズスイッチＳＷ２がオンとなり、レリーズボタンを放すと、第２レリーズスイッチＳＷ２および第１レリーズスイッチＳＷ１が共にオフとなる。
【００２７】
また、レリーズボタンを浅く押し込んで、第１レリーズスイッチＳＷ１がオンとなった状態で、レリーズボタンをさらに押し込まずに放すと第１レリーズスイッチＳＷ１がオフとなる。
カメラ制御部１は、第１レリーズスイッチＳＷ１のオン動作に応答して、測光部５およびＡＦ測距部６のそれぞれにおける測光結果および測距結果から、自動露出（ＡＥ）演算処理およびオートフォーカス（ＡＦ）演算処理を行って、シャッタ開時間（開／閉タイミング）、ストロボ発光時間、およびストロボ発光タイミング等を決定する。また、カメラ制御部１は、オートフォーカス演算処理によって求められる距離データを、フォーカス動作のための撮影レンズの繰り出しステップ数に変換させるフォーカス演算処理を行い、その演算結果に従って、鏡胴駆動部１０を制御して撮影レンズ鏡胴を駆動するフォーカス動作を実行する。
【００２８】
また、カメラ制御部１は、第２レリーズスイッチＳＷ２のオン動作により、上述した自動露出演算処理で算出されたシャッタ開時間を使用して、シャッタ動作を制御するとともに、ストロボ使用時には、同様に算出された発光時間および発光タイミングをもとにしてストロボユニット７を駆動して、ストロボ発光制御を行う。このような撮影動作の後、カメラ制御部１は、鏡胴駆動部１０を介して撮影レンズ鏡胴を待機位置に戻し、且つフィルム給送制御部１１によりフィルムを１コマぶん給送する。
【００２９】
鏡胴駆動部１０は、撮影レンズ鏡胴を駆動するためのステッピングモータ等のモータおよびシャッタを駆動するためのモータ等を含み、フォーカス動作に際してのオートフォーカス演算等に基づくカメラ制御部１による撮影レンズ繰り出しステップ数および待機位置への駆動ステップ数に従って撮影レンズ鏡胴を駆動する。撮影レンズ鏡胴には、撮影レンズおよびシャッターの他に、撮影レンズ鏡胴の現在位置を検出するための位置検出器、撮影レンズ鏡胴の移動量を検出するための移動量検出器、シャッタのトリガー検出用のトリガー検出器および絞り機構などが内蔵されている。
【００３０】
フィルム給送制御部１１は、フィルムを給送するためのモータおよびフィルムの移動量を検出するための検出器等が内蔵されており、カメラ制御部１により駆動されて、撮影動作終了時に、１コマぶんフィルムを給送するとともに、フィルムの全コマ撮影終了時にフィルムの巻き戻し駆動を行う。
撮影モードスイッチＳＷ３は、操作時にのみオンとなる自己復帰形のスイッチからなり、撮影者が撮影シーン等に基づき所望に応じて当該カメラの撮影モードを切り替え設定するためのスイッチである。この撮影モードスイッチＳＷ３の押操作によりオン／オフ動作を繰り返すことによって、撮影モードを順次切替え選択する。
【００３１】
例えば、通常撮影モードは、マルチエリアオートフォーカスの低輝度自動発光モード、つまり、マルチエリア測距によるオートフォーカスを行って被写体が低輝度時にはストロボを発光させるモードであるが、この通常撮影モード−シングルＡＦ撮影モード（シングルエリア測距によるオートフォーカス）−遠景撮影モード−近接撮影モード−通常撮影モードと、各撮影モードを順次サイクリックに繰り返し選択する。
時計モードスイッチＳＷ４は、当該カメラのカレンダ／時計の表示モードを切り替え設定するためのスイッチであり、押操作によりオン／オフ動作を繰り返すことによって、例えば、ディスプレイ８に、２桁ずつの数字により年月日表示−月日年表示−日月年表示−日時分表示−年月日表示と、各表示モードが順次サイクリックに繰り返し選択される。
【００３２】
時計セレクトスイッチＳＷ５および時計セットスイッチＳＷ６は、カレンダ／時計表示の修正設定用のスイッチである。時計セレクトスイッチＳＷ５は、操作時にのみオンとなる自己復帰形のスイッチからなり、該時計セレクトスイッチＳＷ５を操作する毎にカレンダ／時計表示部の年、月、日、時および分の各項目が順次選択され、選択された項目が点滅表示される。時計セットスイッチＳＷ６は、操作時にのみオンとなる自己復帰形のスイッチからなり、時計セレクトスイッチＳＷ５によって選択されて点滅表示状態にある項目についてのみ有効で、該時計セットスイッチＳＷ６のオン操作により、点滅表示状態にある項目が＋１（インクリメント）される。
【００３３】
ディスプレイ８は、図６に示すような表示パターンを有し、図７、図８、図９および図１０に、それぞれ通常撮影モード、シングルＡＦモード、遠景撮影モードおよび近接撮影モードの各表示状態の一例を示す。
すなわち、図７では特別な表示をしないことにより標準撮影モードであることを示し、図８では、枠線のほぼ中央に小さな丸印を表示することによりシングルＡＦモードを示し、図９では枠線の中に山並みを表示することにより遠景撮影モードを示し、図１０では花の図案を表示することにより近接撮影モードを示している。
【００３４】
上述したカメラにおける動作について、図２〜図１０を参照して説明する。
カメラ制御部１は、各スイッチＳＷ１〜ＳＷ６による操作入力に応答し、各スイッチＳＷ１〜ＳＷ６に対応する動作を制御する。レリーズボタンの第１段操作により、第１レリーズスイッチＳＷ１のオン信号がカメラ制御部１に入力されると、カメラ制御部１は、第１レリーズスイッチオン処理に入る。
【００３５】
図２は、第１レリーズスイッチオン処理のフローチャートを示している。第１レリーズスイッチオン処理が開始されると、カメラ制御部１は、電源２により正常動作に必要な電力が供給されているか否か、つまり電池残量、を確認するバッテリーチェック動作を行う（ステップＳ１）。ステップＳ１におけるバッテリーチェックの結果を判別し（ステップＳ２）、電源２により供給される電力が不足しているときは、レリーズ禁止処理（ステップＳ３）を経て処理を終了する。この場合には、カメラ制御部１は、レリーズロックとして、レリーズ動作を抑止し、不動作とする。このバッテリーチェック動作およびカレンダ／時計表示用の計時動作は、電源２の電力が不足していても動作可能とするため、わずかな電力で動作するようにしておく。なお、このとき、後述するように、例えば一種のステータスフラグ等のレリーズ禁止情報を設定しておくようにしても良い。
【００３６】
ステップＳ２のバッテリー電力の判別の結果、電源２の電力が、当該カメラの正常作動に必要な電力に達している場合には、カメラ制御部１は、測光部５を制御して、被写体光量を計測する測光動作を行う（ステップＳ４）。続いて、カメラ制御部１は、測光結果として得られる被写体輝度に基づく自動露出（ＡＥ）演算処理を行い、シャッタ開時間と、絞りと、必要に応じてストロボ発光時間および発光タイミングの少なくともいずれかとを決定する（ステップＳ５）。
【００３７】
次に、カメラ制御部１は、測距手段としてのＡＦ測距部６を制御して、被写体距離を計測し（ステップＳ６）、距離演算手段によりその測距結果に応じて距離データに変換する測距演算処理を行い、図示していない撮影レンズを被写体に合焦させるための繰り出し量を求める（ステップＳ７）。この測距および測距演算動作では、例えばマルチエリアＡＦによる低輝度自動発光モードの通常撮影モードの場合には、７個の測距領域についての測距を行い、それらのうちの最も近距離と計測された測距領域の測距結果を採用して、レンズ繰り出し量を求める。
【００３８】
次に、カメラ制御部１は、ステップＳ６およびＳ７における測距が適正に行われたか否か、つまり、例えば異常な測距結果が得られていないかなどを判別し（ステップＳ８）、測距に失敗してなければ、近接撮影モードか否かを調べ（ステップＳ９）、近接撮影モードであれば、測距結果から距離演算手段により距離データを算出して、被写界深度判定手段により被写界深度内か否かの判定を行う（ステップＳ１０）。
【００３９】
測距結果が被写界深度内であると判定された場合は、カメラ制御部１は、合焦表示発光ダイオードＡＦＬＥＤ（図示していない）を点灯させる（ステップＳ１１）。ステップＳ１０で、被写界深度判定手段により被写界深度外と判定された場合は、カメラ制御部１は、合焦表示発光ダイオードＡＦＬＥＤを第１の警告表示として２Ｈｚ周期で点滅させ（ステップＳ１２）、ステータスフラグ等によりレリーズ禁止情報を設定する（ステップＳ１３）。
また、ステップＳ９において、近接撮影モードでないと判定された場合には、カメラ制御部１における撮影可能範囲判定手段は、当該モードにおける撮影可能範囲内であるか否かを判定し（ステップＳ１４）、撮影可能範囲内であれば、合焦表示発光ダイオードＡＦＬＥＤを点灯させる（ステップＳ１５）。ステップＳ１４で、撮影可能範囲外と判定された場合は、カメラ制御部１は、合焦表示発光ダイオードＡＦＬＥＤを第１の警告表示として２Ｈｚ周期で点滅させ（ステップＳ１６）、ステータスフラグ等によりレリーズ禁止情報を設定する（ステップＳ１７）。
【００４０】
ステップＳ８において測距に失敗したと判定された場合には、カメラ制御部１は、合焦表示発光ダイオードＡＦＬＥＤを第２の警告表示として８Ｈｚ周期で点滅させる（ステップＳ１８）。すなわち、合焦表示発光ダイオードＡＦＬＥＤは、被写界深度内または撮影可能範囲内であれば点灯し、そうでなければ点滅する。また、被写界深度外および撮影可能範囲外の場合には、レリーズ禁止情報をセットして、合焦表示発光ダイオードＡＦＬＥＤを第１の警告表示として２Ｈｚの周期で点滅させ、被写界深度内、撮影可能範囲内および測距失敗の場合には、レリーズ禁止情報はセットせず、測距に失敗した場合には合焦表示発光ダイオードＡＦＬＥＤを第２の警告表示として８Ｈｚの周期で点滅する。これら２つの状態、即ち被写界深度外および撮影可能範囲外の状態と測距失敗の状態とは、合焦表示発光ダイオードＡＦＬＥＤの点滅周期で区別することができる。
【００４１】
次に、近接撮影モードの場合は、外光輝度にかかわらず小絞りに設定するためストロボを発光させるとともに、その他の撮影モードの場合にもストロボを発光させる場合があるため、カメラ制御部１は、ストロボを発光させるか否か、およびストロボを発光させる場合には、ストロボ電源の充電レベルが所定レベル以下か否かに基づいて充電する必要があるか否かを調べる（ステップＳ１９）。カメラ制御部１は、ストロボ電源の充電の必要がある場合は充電を行う（ステップＳ２０）。
【００４２】
次に、再度近接撮影モードか否かを調べ（ステップＳ２１）、近接撮影モード以外では、カメラ制御部１は、測距演算により得られた測距値をフォーカス動作のための撮影レンズ鏡胴の繰り出し量を規定するステッピングモータの繰り出しステップ数に変換させるフォーカス演算処理を行う（ステップＳ２２）。そして、カメラ制御部１は、ステップＳ２２により得られた繰り出しステップ数に従って鏡胴駆動部１０を介して、撮影レンズ鏡胴を繰り出して、測距された被写体に合焦させるフォーカス動作を行う（ステップＳ２３）。ステップＳ２１において、近接撮影モードと判定された場合には、モード設定時にレンズ位置を移動済みであるためレンズ鏡胴の駆動は行わない。
【００４３】
以上により、第１レリーズスイッチオンの処理は終了し、第２レリーズスイッチＳＷ２がオンとされるか第１レリーズスイッチＳＷ１がオフとされるかするのを待つ。第１レリーズスイッチＳＷ１をオフとした場合には、第１レリーズオフ処理が実行され、カメラ制御部１は、合焦表示発光ダイオードＡＦＬＥＤを消灯し、レンズ鏡胴を待機位置に戻す。
第１レリーズスイッチオンの処理の終了に続いて、レリーズボタンがさらに押し込まれて、第２レリーズスイッチＳＷ２がオンとされると、図３に示す第２レリーズスイッチオン処理が実行される。
【００４４】
図３は、第２レリーズスイッチオン処理のフローチャートを示しており、第１レリーズスイッチＳＷ１がオンとなっている状態で、カメラ制御部１において第２レリーズスイッチＳＷ２のオン入力が検出されると、この第２レリーズスイッチオン処理が起動される。第２レリーズオン処理が開始されると、カメラ制御部１は、まず、レリーズ禁止情報が設定されているか否かを判定し（ステップＳ３１）、ステータスフラグ等にレリーズ禁止情報がセットされている場合には、第２レリーズスイッチオン処理、すなわち撮影動作、を行わずに処理を終了する。ステップＳ３１において、ステータスフラグ等にレリーズ禁止情報がセットされていないと判定され、撮影が許可された場合には、カメラ制御部１は、図２のステップＳ５のＡＥ演算処理により算出されたシャッタ開時間に従って、シャッタ制御を行ってシャッタを開閉動作させ、またストロボ使用時には、ＡＥ演算処理により算出された発光時間または発光タイミングに従ってストロボ発光制御を行う（ステップＳ３２）。
【００４５】
そして、近接撮影モード以外であるか否かを調べ（ステップＳ３３）、近接撮影モードでない場合には、撮影レンズ鏡胴を所定の待機位置に戻し（ステップＳ３４）、フィルムを１コマ分進めるフィルム給送動作を行って（ステップＳ３５）、処理を終了する。ステップＳ３３において、近接撮影モードであると判定された場合には、撮影レンズ位置が通常撮影の最近接位置に固定されているため、ステップＳ３４の撮影レンズ鏡胴の待機位置への移動動作は行わずにスキップして、そのまま、ステップＳ３５のフィルム給送動作を行う。
【００４６】
撮影モードスイッチＳＷ３は、ユーザが、撮影シーンに応じて任意に操作して、予め用意されている撮影モードを選択設定するためのスイッチである。この撮影モードスイッチＳＷ３を操作した際には、その都度、図４に示す撮影モードスイッチオン処理が起動される。
通常モードは、マルチエリアＡＦ制御を行い且つ低輝度時にはストロボを自動発光させるマルチエリアＡＦの低輝度自動発光モードである。この状態では、ディスプレイ８の表示は、図７に示す通常撮影モードを示す表示状態となっている。この状態で撮影モードを１回押すと、カメラ制御部１は、前回は通常モードであるか否かを判別し（ステップＳ４１）、前回は通常モードであれば、適宜選択した単一の測距領域についてのオートフォーカス制御を行うシングルＡＦモードに設定して、ディスプレイ８の表示を、図８に示すシングルＡＦモードを示す表示状態に制御して（ステップＳ４２）、処理を終了して待機状態に戻る。
【００４７】
撮影モードスイッチＳＷ３をもう一回押すと、カメラ制御部１は、ステップＳ４１では、前回は通常モードでないと判定し、今度は、前回はシングルＡＦモードであるか否かを判別する（ステップＳ４３）。カメラ制御部１は、前回はシングルＡＦモードであると判別すれば、遠景モードに設定して、無限遠位置の被写体に合焦するように、撮影レンズ鏡胴の繰り出し量を自動設定して、ディスプレイ８の表示を、図９に示す遠景モードに対応する表示状態に制御して（ステップＳ４４）、処理を終了し待機状態に戻る。
【００４８】
撮影モードスイッチＳＷ３をもう一回押すと、カメラ制御部１は、ステップＳ４１では、前回は通常モードでないと判定し、ステップＳ４３では、前回はシングルＡＦモードでないと判定し、今度は、前回は遠景撮影モードであるか否かを判別する（ステップＳ４５）。カメラ制御部１は、前回は遠景撮影モードであると判別すれば、近接撮影モードに設定して、ディスプレイ８の表示を、図１０に示す近接撮影モードに対応する表示状態に制御して（ステップＳ４６）、さらに絞り値を小さな値、例えばＦ．３２相当、に設定し（ステップＳ４７）、撮影レンズ鏡胴を近接撮影可能位置、例えば３５ｃｍ繰り出し相当に移動させて（ステップＳ４８）、処理を終了する。
【００４９】
さらに、撮影モードスイッチＳＷ３をもう一回押すと、カメラ制御部１は、ステップＳ４１では、前回は通常モードでないと判定し、ステップＳ４３では、前回はシングルＡＦモードでないと判定し、ステップＳ４５で、前回は遠景撮影モードでないと判定すれば、前回は近接撮影モードであるので、今度は通常モードに設定して、マルチエリアＡＦの低輝度自動発光制御に戻し、撮影モードの表示を図７の状態に戻し（ステップＳ４９）、絞りをリセットし（ステップＳ５０）、撮影レンズ鏡胴を待機位置に戻す（ステップＳ５１）。
【００５０】
時計計時動作に係る時計モードスイッチＳＷ４、時計セレクトスイッチＳＷ５および時計セットスイッチＳＷ６は、カメラ制御部１が待機状態にあるときに、スイッチ操作入力を受け付けることが可能であり、ディスプレイ８によるカレンダ／時計表示の設定を変更することができる。
時計モードスイッチＳＷ４は、操作毎に、カメラ制御部１において、図５に示すような表示モードの変更処理を行なわせる。まず、時計モードスイッチＳＷ４が操作されると、カメラ制御部１は、前回の時計表示モード、つまりその時点での時計表示モードが、年月日をこの順序で表示する「年月日モード」であるか否かを判定し（ステップＳ６１）、「年月日モード」であれば、月日年をこの順序で表示する「月日年モード」に時計表示モードを変更し（ステップＳ６２）、待機状態に戻る。
【００５１】
時計モードスイッチＳＷ４が操作されたときに、ステップＳ６１で、従前の時計表示モードが、「年月日モード」でないと判定されれば、カメラ制御部１は、月日年をこの順序で表示する「月日年モード」であるか否かを判定し（ステップＳ６３）、前回が「月日年モード」であれば、日月年をこの順序で表示する「日月年モード」に時計表示モードを変更し（ステップＳ６４）、待機状態に戻る。時計モードスイッチＳＷ４が操作されたときに、ステップＳ６１で、従前の時計表示モードが、「年月日モード」でないと判定され、しかもステップＳ６３で、「月日年モード」でないと判定されれば、カメラ制御部１は、日月年をこの順序で表示する「日月年モード」であるか否かを判定し（ステップＳ６５）、「日月年モード」であれば、日時分をこの順序で表示する「日時分モード」に時計表示モードを変更し（ステップＳ６６）、待機状態に戻る。
【００５２】
時計モードスイッチＳＷ４が操作されたときに、ステップＳ６１で、従前の時計表示モードが、「年月日モード」でないと判定され、ステップＳ６３で、「月日年モード」でないと判定され、ステップＳ６５で「日月年モード」でないと判定されれば、カメラ制御部１は、年月日をこの順序で表示する「年月日モード」に時計表示モードを変更し（ステップＳ６７）、待機状態に戻る。
すなわち、時計モードスイッチＳＷ４による操作入力毎に、時計表示モードを、年月日表示→月日年表示→日月年表示→日時分表示→年月日表示と逐次繰り返し切換えることができる。
【００５３】
時計セレクトスイッチＳＷ５および時計セットスイッチＳＷ６は、カレンダ／時計表示の年、月、日、時および分の修正用のスイッチである。時計セレクトスイッチＳＷ５の操作により、年、月、日、時および分の項目のうちの修正する項目を選択する。すなわち、時計セレクトスイッチＳＷ５を操作すると、修正項目が年→月→日→時→分の順序で逐次選択されて、選択された項目の表示が点減表示となる。時計セットスイッチＳＷ６は、この点滅表示状態において有効となり、該時計セットスイッチＳＷ６の操作入力毎に、点滅表示されている項目の値が＋１（インクリメント）される。
【００５４】
このように、本発明に係る可能な近接撮影機能を有するカメラは、モード設定操作により、選択設定し得る撮影モードとして、通常撮影モードと、レンズ位置を近接撮影可能な位置に移動して固定させ、且つ絞り値を前記通常撮影モードよりも小絞り設定として被写界深度を深くすることにより近接撮影を可能とする近接撮影モードとを含み、測距手段により得られる被写体の測距データを距離演算手段により距離データに変換し該距離データと被写界深度情報とを比較して、前記距離データが被写界深度外であれば、撮影動作を禁止することにより、ＡＦ機能を利用して、被写体が、被写界深度内である場合にのみ撮影可能とし、被写界深度外の場合は、撮影動作を禁止する。
【００５５】
すなわち、被写界深度外の被写体を撮影することが効果的に防止され、ピントがぼけた写真を撮影することがなくなる。また、不用意に近接モードで撮影した場合、または、設定したことを忘れてしまった場合に、通常撮影のつもりで撮影しても撮影禁止となるため、誤操作防止になる。したがって、常に適切に合焦した撮影を行うことが可能となり、特に、被写界深度外の被写体を合焦しないまま撮影してしまったり、不適切な撮影モードのまま不用意に撮影するなどの誤操作を防止することができる。
【００５６】
また、発光素子の点灯／点滅表示等の警告表示により、撮影禁止状態をレリーズボタンの半押し状態で確認することができる。特に、発光素子の点灯／点滅表示により撮影禁止状態を警告すればレリーズボタンの半押し状態で、正確に視認することができる。また、測距に失敗した場合には、警告はするが撮影を禁止しないようにすることにより、測距できない被写体が被写界深度内に位置している場合にも撮影することができる。この場合にも、測距に失敗したことを警告表示により、例えば目視にて、予め認識することができる。また、近接撮影モードにおいて、被写界深度内であっても、通常撮影範囲内に該当する場合には、通常撮影で撮影したほうが好ましいため、撮影禁止とすることができる。近接撮影時と通常撮影時とで撮影レンズ鏡胴の最大移動量が同じであるため、レンズ鏡胴の設計が容易になり、コストダウンにつながる。
【００５７】
近接撮影においては、常にストロボを発光させることにより、ストロボモードとの組合せの煩雑さをなくし、容易に無難な撮影を行うことが可能になる。
なお、本発明は、上述し且つ図面に示す実施の形態にのみ限定されることなく、その要旨を変更しない範囲内で種々変形実施することが可能である。
【００５８】
【発明の効果】
以上述べたように、請求項１に記載の発明によれば、
通常撮影モードと、
レンズ位置を近接撮影可能な位置に移動して固定させ、且つ絞り値を前記通常撮影モードよりも小絞り設定として被写界深度を深くすることにより近接撮影を可能とする近接撮影モードとを有するカメラにおいて、
被写体距離に対応する測距データを得る測距手段と、
前記測距手段から出力される測距データを距離データに変換する距離演算手段と、
ユーザーに対して警告を表示する警告表示手段と、
前記近接撮影モードにおいて、前記距離演算手段により算出される距離データと被写界深度情報とを比較する被写界深度判定手段と、
前記通常撮影モードにおいて、前記距離演算手段により算出される距離データと撮影可能範囲とを比較する撮影可能範囲判定手段と、
前記被写界深度判定手段が、前記測距データが被写界深度外と判定した場合、または、前記撮影可能範囲判定手段が、前記測距データが撮影可能範囲外であると判定した場合には、前記警告表示手段に第１の警告表示を行い、撮影動作を禁止し、前記測距手段が測距失敗した場合には、前記警告表示手段に第２の警告表示を行い、撮影動作を許可する制御手段と、
を備える構成としたので、
特に、近接撮影モードまたは、通常撮影モードのいずれにおいても測距データが被写界深度外のとき、または測距データが撮影可能範囲外のとき、共通の第１の警告表示と撮影動作の禁止とを行うことでユーザーに近接撮影モードと通常撮影モードの変更を促し、被写界深度外の被写体を合焦しないまま撮影してしまったり、不適切な撮影モードのまま不用意に撮影するなどの誤操作を防止することが可能であり、さらには測距に失敗した場合には、上記第１の警告表示とは異なる第２の警告表示はするが、撮影動作を許可する構成となっているため、測距できない被写体が被写界深度内に位置している場合にも撮影をすることが可能なカメラを提供することができる。
【００５９】
また、請求項２に記載の発明によれば、レリーズボタンの操作量に応じて１段目の第１レリーズ操作と２段目の第２レリーズ操作との２段操作可能なレリーズ手段と、
前記レリーズ手段の第１レリーズ操作により、前記測距手段による測距動作を行わせ、前記第２レリーズ操作により、撮影動作に入るとともに、前記第１レリーズ操作の状態で、前記被写界深度判定手段が距離データと被写界深度情報とを比較し、被写界深度外と判定した場合に、前記第１の警告表示を行うように構成したので、
特に、レリーズボタンの、いわゆる半押し状態で被写界深度外と判定したとき、第１の警告表示により、撮影禁止状態を目視で把握し得るカメラを提供することができる。
【００６０】
請求項３に記載の発明によれば、前記警告表示手段を、発光表示部の点滅表示により前記警告表示を行うように構成したことにより、特に、レリーズボタンの、いわゆる半押し状態で目視により撮影禁止状態を把握し得るカメラを提供することができる。
【００６１】
請求項４に記載の発明によれば、前記第1の警告表示と前記第２の警告表示は、発光表示部の点滅表示の周期が異なるようにしたので、特に、測距に失敗したのか、近接撮影時に被写体が被写界深度外なのか通常撮影時に撮影可能範囲外なのかが目視により予め認識し得るカメラを提供することができる。
【００６３】
請求項５に記載の発明によれば、近接撮影モードにおいて、ストロボを常時発光するようにしたので、特に、ストロボモードとの組合せ等の煩わしさをなくし無難な近接撮影を可能とするカメラを提供することができる。
【図面の簡単な説明】
【図１】本発明の一つの実施の形態に係るカメラの機能構成を模式的に示すブロック図である。
【図２】図１のカメラの撮影における第１レリーズスイッチオン時の動作を説明するためのフローチャートである。
【図３】図１のカメラの撮影における第２レリーズスイッチオン時の動作を説明するためのフローチャートである。
【図４】図１のカメラにおける撮影モードスイッチ操作時の動作を説明するためのフローチャートである。
【図５】図１のカメラにおける時計モードスイッチ操作時の動作を説明するためのフローチャートである。
【図６】図１のカメラの表示部の表示パターンを説明するための模式図である。
【図７】図１のカメラの表示部の撮影モードとして通常モードを選択した場合における表示状態を説明するための模式図である。
【図８】図１のカメラの表示部の撮影モードとしてシングルＡＦモードを選択した場合における表示状態を説明するための模式図である。
【図９】図１のカメラの表示部の撮影モードとして遠景モードを選択した場合における表示状態を説明するための模式図である。
【図１０】図１のカメラの表示部の撮影モードとして近接モードを選択した場合における表示状態を説明するための模式図である。
【符号の説明】
１  カメラ制御部（ＣＰＵ）
２  電源
３  第１の発振器
４  第２の発振器
５  測光部
６  ＡＦ測距部
７  ストロボユニット
８  ディスプレイ（ＬＣＤ）
９  記憶部（ＥＥＰＲＯＭ）
１０  鏡胴駆動部
１１  フィルム給送制御部
ＳＷ１  第１レリーズスイッチ
ＳＷ２  第２レリーズスイッチ
ＳＷ３  撮影モードスイッチ
ＳＷ４  時計モードスイッチ
ＳＷ５  時計セレクトスイッチＳＷ５
ＳＷ６  時計セットスイッチＳＷ６
Ｘ１  セラミック振動子
Ｘ２  水晶振動子
Ｒ  抵抗
Ｃ１〜Ｃ４  コンデンサ
【図１】
0003761740.tif 000002
【図２】
0003761740.tif 000003
【図３】
0003761740.tif 000004
【図４】
0003761740.tif 000005
【図５】
0003761740.tif 000006
【図６】
0003761740.tif 000007
【図７】
0003761740.tif 000008
【図８】
0003761740.tif 000009
【図９】
0003761740.tif 000010
【図１０】
0003761740.tif 000011